(57)【要約】【課題】覆蓋パネルと太陽電池モジュールとで重複して発生する材料費を削減するとともに、覆蓋パネルと太陽電池モジュールを固定する現場工事費を削減することができる太陽電池モジュールを備えた覆蓋パネルを提供すること。【解決手段】裏面に合成樹脂系複合材製の基盤１を添着した太陽電池モジュール２の外周部をフレーム３に嵌め込むとともに、該フレーム３の周囲に合成樹脂系複合材製の覆蓋パネル本体４を一体に形成し、覆蓋パネル本体４と合成樹脂系複合材製の基盤１の裏面をその境界を跨ぐようにして合成樹脂系複合材製のオーバーレイ層５により被覆する。【選択図】図１
2005066512.tif 000002
【特許請求の範囲】
【請求項１】
裏面に合成樹脂系複合材製の基盤を添着した太陽電池モジュールの外周部をフレームに嵌め込むとともに、該フレームの周囲に合成樹脂系複合材製の覆蓋パネル本体を一体に形成し、該覆蓋パネル本体と合成樹脂系複合材製の基盤の裏面をその境界を跨ぐようにして合成樹脂系複合材製のオーバーレイ層により被覆したことを特徴とする太陽電池を備えた覆蓋パネル。
【請求項２】
裏面に合成樹脂系複合材製の基盤を添着した太陽電池モジュールの外周部表面を防水材により被覆するとともに、該防水材表面からその周囲に合成樹脂系複合材製の覆蓋パネル本体を一体に形成し、該覆蓋パネル本体と合成樹脂系複合材製の基盤の裏面をその境界を跨ぐようにして合成樹脂系複合材製のオーバーレイ層により被覆したことを特徴とする太陽電池を備えた覆蓋パネル。
【発明の詳細な説明】
【技術分野】
【０００１】
本発明は、各種の処理槽、貯留槽等を覆うために用いられる覆蓋や、駐車場、工場、倉庫等の屋根（塀、工場、倉庫の壁面等の鉛直面を構成する部材を含む。）に使用される覆蓋パネルに関し、特に、太陽電池モジュールを組み込むことにより、太陽光をエネルギー源として発電を行えるようにした太陽電池を備えた覆蓋パネルに関するものである。
【背景技術】
【０００２】
従来、例えば、浄水場においては、原水に凝集剤を添加して凝集・沈澱処理した後、この処理水をオゾン処理し、さらに活性炭処理及び砂濾過処理する処理方法が採用されており、これらの処理は、それぞれ専用の処理槽において行うようにしている。
【０００３】
これらの処理を行う処理槽は、通常、上方を解放したままのものが多く用いられており、大気中の塵埃が処理槽内に侵入したり、処理槽内に太陽光が直接照射されることによって藻類が大量に発生するため、金属製又は合成樹脂製の覆蓋により処理槽の上方を覆う試みがなされている。
また、このような覆蓋において、太陽電池パネルを覆蓋パネルに設置することにより、太陽光をエネルギー源として発電する試みもなされている。
【０００４】
しかしながら、このような従来の覆蓋パネルは、覆蓋パネルを架台とし、別途太陽電池モジュールを載置して固定する構造であるため、覆蓋パネルと太陽電池モジュールのそれぞれに材料費が重複して発生するとともに、覆蓋パネルに太陽電池モジュールを固定するための現場工事費がかかるという問題があった。
【発明の開示】
【発明が解決しようとする課題】
【０００５】
本発明は、上記従来の太陽電池モジュールを備えた覆蓋パネルが有する問題点に鑑み、覆蓋パネルと太陽電池モジュールとで重複して発生する材料費を削減するとともに、覆蓋パネルと太陽電池モジュールを固定する現場工事費を削減することができる太陽電池モジュールを備えた覆蓋パネルを提供することを目的とする。
【課題を解決するための手段】
【０００６】
上記目的を達成するため、本第１発明の太陽電池を備えた覆蓋パネルは、裏面に合成樹脂系複合材製の基盤を添着した太陽電池モジュールの外周部をフレームに嵌め込むとともに、該フレームの周囲に合成樹脂系複合材製の覆蓋パネル本体を一体に形成し、該覆蓋パネル本体と合成樹脂系複合材製の基盤の裏面をその境界を跨ぐようにして合成樹脂系複合材製のオーバーレイ層により被覆したことを特徴とする。
【０００７】
また、本第２発明の太陽電池を備えた覆蓋パネルは、裏面に合成樹脂系複合材製の基盤を添着した太陽電池モジュールの外周部表面を防水材により被覆するとともに、該防水材表面からその周囲に合成樹脂系複合材製の覆蓋パネル本体を一体に形成し、該覆蓋パネル本体と合成樹脂系複合材製の基盤の裏面をその境界を跨ぐようにして合成樹脂系複合材製のオーバーレイ層により被覆したことを特徴とする。
【発明の効果】
【０００８】
本第１発明の太陽電池を備えた覆蓋パネルによれば、裏面に合成樹脂系複合材製の基盤を添着した太陽電池モジュールの外周部をフレームに嵌め込むとともに、該フレームの周囲に合成樹脂系複合材製の覆蓋パネル本体を一体に形成し、該覆蓋パネル本体と合成樹脂系複合材製の基盤の裏面をその境界を跨ぐようにして合成樹脂系複合材製のオーバーレイ層により被覆することから、覆蓋パネルと太陽電池モジュールを予め一体構造として製造することができ、これにより、覆蓋パネルと太陽電池モジュールとで重複して発生する材料費を削減するとともに、覆蓋パネルと太陽電池モジュールを固定する現場工事費を削減することができる。
また、太陽電池モジュールの基盤と覆蓋パネルの材料を同一にすることができるため、異なる材料同士を組み立てたものに比較して、線膨張による変形のおそれがなく、成形上の剥離も防止することができる。
【０００９】
また、本第２発明の太陽電池を備えた覆蓋パネルによれば、裏面に合成樹脂系複合材製の基盤を添着した太陽電池モジュールの外周部表面を防水材により被覆するとともに、該防水材表面からその周囲に合成樹脂系複合材製の覆蓋パネル本体を一体に形成し、該覆蓋パネル本体と合成樹脂系複合材製の基盤の裏面をその境界を跨ぐようにして合成樹脂系複合材製のオーバーレイ層により被覆することから、覆蓋パネルと太陽電池モジュールを予め一体構造として製造することができ、これにより、覆蓋パネルと太陽電池モジュールとで重複して発生する材料費を削減するとともに、覆蓋パネルと太陽電池モジュールを固定する現場工事費を削減することができる。
また、太陽電池モジュールの基盤と覆蓋パネルの材料を同一にすることができるため、異なる材料同士を組み立てたものに比較して、線膨張による変形のおそれがなく、成形上の剥離も防止することができる。
【発明を実施するための最良の形態】
【００１０】
以下、本発明の太陽電池モジュールを備えた覆蓋パネルの実施の形態を、図面に基づいて説明する。
【実施例１】
【００１１】
図１〜図２に、本発明の太陽電池を備えた覆蓋パネルの第１実施例を示す。
【００１２】
この覆蓋パネルは、浄水場の処理槽の上方を覆うのに適した形状（必要に応じて、同じ覆蓋パネルを複数個組み合わせて用いることができる。）としたもので、特に限定されるものではないが、例えば、図１に示すように、中央部が上方に膨らんだ長方形の板状をなしている。
【００１３】
そして、この覆蓋パネルは、図２に示すように、裏面に合成樹脂系複合材製の基盤１が添着された太陽電池モジュール２の外周部をフレーム３に嵌め込むとともに、該フレーム３の周囲に合成樹脂系複合材製の覆蓋パネル本体４を一体に形成し、該覆蓋パネル本体４と合成樹脂系複合材製の基盤１の裏面をその境界を跨ぐようにして合成樹脂系複合材製のオーバーレイ層５により被覆している。
【００１４】
合成樹脂系複合材製の基盤１は、ＦＲＰ等の合成樹脂系複合材製のプレートやシート等を使用することができ、接着層（図示省略）を介して太陽電池モジュール２に接合されている。この場合、接着層としては、接着剤や両面粘着テープ等を使用することができる。
また、覆蓋パネル本体４及びオーバーレイ層５も、この合成樹脂系複合材製の基盤１と同様に、ＦＲＰ等の合成樹脂系複合材製の材料により形成される。
【００１５】
太陽電池モジュール２としては、シリコン等の結晶系をはじめとして種々のものを使用することができ、アモルファス太陽電池モジュール２を使用すれば、覆蓋パネルとしての曲面対応が容易となる。
この場合、太陽電池モジュール２の表面に、フッ素被膜（図示省略）を設けることができる。
【００１６】
支持枠としてのフレーム３は、例えば、図２（ａ）に示すように、アルミの押し出し成型材からなり、四角形の太陽電池モジュール２の外周部端面を取り囲むベース部３１と、該ベース部３１の内側に形成され、太陽電池モジュール２の外周部が嵌合する断面コ字状の内枠３２と、ベース部３１の外側に形成され、覆蓋パネル本体４が嵌合する断面コ字状の外枠３３とを備えている。
この場合、内枠３２内には、防水性を高めるパッキン３４が配設されており、また、外枠３３は、覆蓋パネル本体４の成型時に内部に樹脂やファイバーが回り込むため、フレーム３の抜けを防止することができる。
また、フレーム３は、例えば、図２（ｂ）に示すように、外枠３３を一枚のプレート状に形成することも可能である。
また、図２（ｃ）に示すように、ベース部３１を下方に延設し、外枠３３を内枠３２からオフセットしたプレート状に形成することもできる。この場合、覆蓋パネル本体４の縁部４１を、フレーム３のオフセット分だけ下方に曲げて形成し、この曲げ部分とフレーム３のベース部３１との間にコーキング材やシーリング材、パッキン等の防水材６を配設することにより防水性を高めることができる。
【００１７】
一方、これら覆蓋パネルの製造工程は、図２（ａ）に示す覆蓋パネルは、フレーム３の外枠３３内にＦＲＰ材を入り込ませることができるため、太陽電池モジュール２を嵌め込んだフレーム３を覆蓋パネル本体４の成形型に置いて成形し、その後、オーバーレイ層５を裏面に形成することができる。
また、図２（ｂ）（ｃ）に示す覆蓋パネルは、先に覆蓋パネル本体４を型成形し、一度脱型してから、太陽電池モジュール２を嵌め込んだフレーム３を覆蓋パネル本体４にセットし、その後、オーバーレイ層５を裏面に形成するようにする。
【００１８】
かくして、本実施例の覆蓋パネルは、裏面に合成樹脂系複合材製の基盤１を添着した太陽電池モジュール２の外周部をフレーム３に嵌め込むとともに、該フレーム３の周囲に合成樹脂系複合材製の覆蓋パネル本体４を一体に形成し、該覆蓋パネル本体４と合成樹脂系複合材製の基盤１の裏面をその境界を跨ぐようにして合成樹脂系複合材製のオーバーレイ層５により被覆することから、覆蓋パネルと太陽電池モジュール２を予め一体構造として製造することができ、これにより、覆蓋パネルと太陽電池モジュール２とで重複して発生する材料費を削減するとともに、覆蓋パネルと太陽電池モジュール２を固定する現場工事費を削減することができる。
また、太陽電池モジュール２の基盤と覆蓋パネルの材料を同一にすることができるため、異なる材料同士を組み立てたものに比較して、線膨張による変形のおそれがなく、成形上の剥離も防止することができる。
【実施例２】
【００１９】
次に、図３に、本発明の太陽電池モジュールを備えた覆蓋パネルの第２実施例を示す。
【００２０】
この覆蓋パネルは、裏面に合成樹脂系複合材製の基盤１を添着した太陽電池モジュール２の外周部表面を防水材６により被覆するとともに、該防水材６表面からその周囲に合成樹脂系複合材製の覆蓋パネル本体４を一体に形成し、該覆蓋パネル本体４と合成樹脂系複合材製の基盤１の裏面をその境界を跨ぐようにして合成樹脂系複合材製のオーバーレイ層５により被覆している。
なお、図において、第１実施例と同一部材は、同一符号を記すことによりその説明を省略する。
【００２１】
防水材６には、例えば、コーキング材やシーリング材、パッキン等を使用することができ、太陽電池モジュール２の防水性を向上させることができる。
この場合、防水材６の配設スペースを確保するために、図３（ａ）に示すように、覆蓋パネル本体４の縁部をオフセットするように形成したり、図３（ｂ）に示すように、オーバーレイ層５をオフセットするように形成したりすることができる。
【００２２】
この覆蓋パネルの製造工程は、図３（ａ）に示すように、先に覆蓋パネル本体４を型成形し、一度脱型してから防水材６を覆蓋パネル本体４に配設し、太陽電池モジュール２を嵌め込んだフレーム３を覆蓋パネル本体４にセットした後、オーバーレイ層５を裏面に形成するようにする。
【００２３】
かくして、本実施例の太陽電池モジュールを備えた覆蓋パネルは、裏面に合成樹脂系複合材製の基盤１を添着した太陽電池モジュール２の外周部表面を防水材６により被覆するとともに、該防水材表面からその周囲に合成樹脂系複合材製の覆蓋パネル本体４を一体に形成し、該覆蓋パネル本体４と合成樹脂系複合材製の基盤１の裏面をその境界を跨ぐようにして合成樹脂系複合材製のオーバーレイ層５により被覆することから、覆蓋パネルと太陽電池モジュール２を予め一体構造として製造することができ、これにより、覆蓋パネルと太陽電池モジュール２とで重複して発生する材料費を削減するとともに、覆蓋パネルと太陽電池モジュール２を固定する現場工事費を削減することができる。
また、太陽電池モジュール２の基盤と覆蓋パネルの材料を同一にすることができるため、異なる材料同士を組み立てたものに比較して、線膨張による変形のおそれがなく、成形上の剥離も防止することができる。
【００２４】
以上、本発明の太陽電池を備えた覆蓋パネルについて、各種の処理槽、貯留槽等を覆うために用いられる覆蓋に適用した実施例に基づいて説明したが、本発明は上記実施例に記載した構成に限定されるものではなく、その趣旨を逸脱しない範囲において適宜その構成を変更することができるものである。
また、本発明の名称中の「覆蓋パネル」は、その主要な用途を明らかにするために付したものにすぎず、本発明の太陽電池を備えた覆蓋パネルは、浄水場、下水処理場、工場等に設置される各種の処理槽、貯留槽等を覆うために用いられる覆蓋や、カーポート、工場、倉庫等の屋根のほか、遮音壁や塀、電柱、工場、倉庫の壁面等の鉛直面を構成する部材等、野外で太陽光を受ける部材に広く適用できるものであり、これを排除しないものである。
【産業上の利用可能性】
【００２５】
以上、本発明の太陽電池モジュールを備えた覆蓋パネルは、覆蓋パネルと太陽電池モジュールを予め一体構造として製造することにより、覆蓋パネルと太陽電池モジュールとで重複して発生する材料費を削減するとともに、覆蓋パネルと太陽電池モジュールを固定する現場工事費を削減するという特性を有していることから、覆蓋の用途に好適に用いることができるほか、例えば、遮音壁や塀、電柱、工場、倉庫の壁面等の用途にも用いることができる。
【図面の簡単な説明】
【００２６】
【図１】本発明の太陽電池モジュールを備えた覆蓋パネルを示し、（ａ）は一部切り欠き平面図、（ｂ）は（ａ）のＡ−Ａ線断面図、（ｃ）は（ａ）のＢ−Ｂ線断面図である。
【図２】図１（ｃ）のＣ部相当部分を示し、（ａ）は第１実施例の断面図、（ｂ）は第１実施例の変形例を示す断面図、（ｃ）は第１実施例の他の変形例を示す断面図である。
【図３】図１（ｃ）のＣ部相当部分を示し、（ａ）は第２実施例の断面図、（ｂ）は第２実施例の変形例を示す断面図である。
【符号の説明】
【００２７】
１    合成樹脂系複合材製の基盤
２    太陽電池モジュール
３    フレーム
３１  ベース部
３２  内枠
３３  外枠
３４  パッキン
４    覆蓋パネル本体
４１  縁部
５    オーバーレイ層
６    防水材
【図１】
2005066512.tif 000003
【図２】
2005066512.tif 000004
【図３】
2005066512.tif 000005